(57)【要約】【課題】ディスプレイに操作キーホールド状態を表示し、所定期間操作を行わないと、ディスプレイが減光または消灯する電子機器において、ディスプレイが減光または消灯しているときに操作キーホールド状態を表示する手段を提供する。【解決手段】ディスプレイ３と操作キー２と操作キーホールド手段４を有し、前記ディスプレイに動作状態を表示し、所定期間操作キーを操作しないと、前記ディスプレイ３のバックライト３ａを減光、前記ディスプレイのバックライトを消灯、前記ディスプレイ３の表示画面を画面非表示にする、の少なくとも１つを行う電子機器であって、発光素子を設け、操作キーホールド状態では前記発光素子５が点滅若しくは点灯して操作キーホールド状態を表示するように構成した。【選択図】        図１
2006337785.tif 000002
【特許請求の範囲】
【請求項１】
ディスプレイと操作キーと操作キーホールド手段を有し、
前記ディスプレイに動作状態を表示し、所定期間操作キーを操作しないと、前記ディスプレイのバックライトを減光、前記ディスプレイのバックライトを消灯、前記ディスプレイの表示画面を画面非表示にする、の少なくとも１つを行う電子機器であって、
発光素子を設け、
操作キーホールド状態では前記発光素子が点滅若しくは点灯して操作キーホールド状態を表示するように構成した操作キーホールド状態の表示装置。
【請求項２】
前記発光素子の点滅若しくは点灯は、前記ディスプレイが前記減光、前記消灯、前記画面非表示の少なくともいずれか１つ開始したときに実行される、
ことを特徴とする請求項１に記載の操作キーホールド状態の表示装置。
【請求項３】
前記発光素子により操作キーホールド状態以外の他の状態も表示可能とし、操作キーホールド状態と、操作キーホールド状態以外の他の状態とで、前記発光素子の点滅パターンを異ならせたことを特徴とする請求項１又は２に記載の操作キーホールド状態の表示装置。
【請求項４】
ディスプレイと操作キーと操作キーホールド手段を有し、
前記ディスプレイに動作状態を表示し、第１の所定期間操作キーを操作しないと前記ディスプレイのバックライトを減光または消灯し、前記減光または消灯後、前記第１の所定期間より長い第２所定期間操作キーを操作しないと前記ディスプレイの表示画面を画面非表示にする電子機器であって、
発光素子を設け、
操作キーホールド状態では前記発光素子が点滅若しくは点灯して操作キーホールド状態を表示するように構成した操作キーホールド状態の表示装置。
【請求項５】
前記発光素子の点滅若しくは点灯は、前記ディスプレイのバックライトが減光または消灯されたとき、若しくは、前記ディスプレイの表示画面が非表示にされたときに実行される、
ことを特徴とする請求項４に記載の操作キーホールド状態の表示装置。
【請求項６】
前記発光素子により操作キーホールド状態以外の他の状態も表示可能とし、
操作キーホールド状態と、操作キーホールド状態以外の他の状態とで、前記発光素子の点滅パターンを異ならせたことを特徴とする請求項４又は５に記載の操作キーホールド状態の表示装置。
【発明の詳細な説明】
【技術分野】
【０００１】
この発明は電子機器に係わり、特に、その操作キーホールド状態の表示装置に関する。
【背景技術】
【０００２】
従来、携帯用電子機器においては、持ち運び時などに意図しない操作キーの作動が行われ誤動作することを防止するために操作キーの作動を無効とする操作キーホールドスイッチを設けるものがあった。そして、ディスプレイを有する電子機器ではディスプレイに操作キーホールド状態が表示されていた。
【０００３】
しかしながら、液晶表示装置等のディスプレイは消費電力が大きく、バッテリの消耗を防止するために、所定期間操作キーの操作を行わないと、ディスプレイを減光または消灯するものがあった。
【０００４】
この場合、ディスプレイが消灯すると、操作キーホールド状態の表示が消える。そして、使用者は操作キーホールド状態を知らないで、又は忘れてキー操作しても操作ができないと機器が故障したと勘違いすることがあった。
【発明の開示】
【発明が解決しようとする課題】
【０００５】
この発明は上記した点に鑑みてなされたものであって、その目的とするところは、ディスプレイに操作キーホールド状態を表示し、所定期間操作を行わないと、ディスプレイが減光または消灯若しくは画面非表示とする電子機器において、ディスプレイが減光または消灯若しくは画面非表示としているときに操作キーホールド状態を表示する手段を提供することにある。
【課題を解決するための手段】
【０００６】
この発明の操作キーホールド状態の表示装置は、ディスプレイと操作キーと操作キーホールド手段を有し、前記ディスプレイに動作状態を表示し、所定期間操作キーを操作しないと、前記ディスプレイのバックライトを減光、前記ディスプレイのバックライトを消灯、前記ディスプレイの表示画面を画面非表示にする、の少なくとも１つを行う電子機器であって、発光素子を設け、操作キーホールド状態では前記発光素子が点滅若しくは点灯して操作キーホールド状態を表示するように構成したものである。
【０００７】
また、前記操作キーホールド状態の表示装置において、前記発光素子の点滅若しくは点灯は、前記ディスプレイが前記減光、前記消灯、前記画面非表示の少なくともいずれか１つ開始したときに実行されるものである。
【０００８】
また、前記各操作キーホールド状態の表示装置において、前記発光素子により操作キーホールド状態以外の他の状態も表示可能とし、操作キーホールド状態と、操作キーホールド状態以外の他の状態とで、前記発光素子の点滅パターンを異ならせたものである。
【０００９】
また、この発明の操作キーホールド状態の表示装置は、ディスプレイと操作キーと操作キーホールド手段を有し、前記ディスプレイに動作状態を表示し、第１の所定期間操作キーを操作しないと前記ディスプレイのバックライトを減光または消灯し、前記減光または消灯後、前記第１の所定期間より長い第２所定期間操作キーを操作しないと第２の所定期間操作キーを操作しないと前記ディスプレイの表示画面を画面非表示にする電子機器であって、発光素子を設け、操作キーホールド状態では前記発光素子が点滅若しくは点灯して操作キーホールド状態を表示するように構成したものである。
【００１０】
また、前記操作キーホールド状態の表示装置において、前記発光素子の点滅若しくは点灯は、前記ディスプレイのバックライトが減光または消灯されたとき、若しくは、前記ディスプレイの表示画面が非表示にされたときに実行されるものである。
【００１１】
また、前記各操作キーホールド状態の表示装置において、前記発光素子により操作キーホールド状態以外の他の状態も表示可能とし、操作キーホールド状態と、操作キーホールド状態以外の他の状態とで、前記発光素子の点滅パターンを異ならせたものである。
【発明の効果】
【００１２】
この発明の操作キーホールド状態の表示装置によれば、電子機器のディスプレイが減光または消灯状態となっても、ＬＥＤ等の発光素子で操作キーホールド状態が表示されるので、使用者は電子機器が故障したと誤認することがなくなる。
【００１３】
また、ＬＥＤ等が点滅しているので、電源がオン状態であることが判り、電源の落とし忘れがなくなる。さらに、操作キーホールド状態の表示がＬＥＤのような低電力消費部品で行われ、バッテリを使用する電子機器ではバッテリの消耗が少ないため、バッテリの使用可能期間をＬＥＤ等の表示を行わない場合と略変わらない時間とすることができる。
【発明を実施するための最良の形態】
【００１４】
【実施例１】
【００１５】
以下この発明を実施するための最良の形態を実施例に即して説明する。図１はこの発明の実施例１である携帯用ハードディスクオーディオ装置を示す外観図である。図１に示す実施例の携帯用ハードディスクオーディオ装置１の表面には液晶表示装置３、プレイキー２ａを含む操作キー群２および赤色ＬＥＤ５が配置され、側面にはホールドスイッチ４のスライドつまみが配置されている。
【００１６】
ホールドスイッチ４のスライドつまみを矢印方向にスライドさせることにより、操作キー群２の動作を無効とするホールド状態とされ、またはホールド状態が解除される。液晶表示装置３が消灯したときにホールド状態であれば赤色ＬＥＤ５が特定の点滅パターンで点滅する。
【００１７】
図２に実施例１の携帯用ハードディスクオーディオ装置の構成を示す。図２に示すマイクロコンピュータを含む制御装置６は内蔵するＲＯＭに記録されたプログラム、操作キー群２およびホールドスイッチ４からの入力に従いＲＡＭ９を作業用メモリとして用い、ハードディスクドライブ７および液晶表示装置３および液晶表示装置３を照光するバックライト３ａを制御する。
【００１８】
ハードディスクドライブ７は制御装置６に制御されてハードディスクを再生して音声信号または静止画像のデジタル信号を制御装置６に出力する。制御装置６に入力されたデジタル音声信号は制御装置６で処理された後Ｄ／Ａコンバータ８に出力される。
【００１９】
Ｄ／Ａコンバータ８は入力された音声デジタル信号をアナログ信号に変換して図示していないアンプに出力し、アンプは音声アナログ信号を増幅して図示していないヘッドホンを駆動する。
【００２０】
制御装置６に入力された静止画像のデジタル信号は制御装置６で処理され、液晶表示装置３を制御する信号となり、液晶表示装置３に静止画像として表示される。制御装置６は静止画像の他にもホールド状態であることを示す文字または記号も液晶表示装置３に表示させ、また、赤色ＬＥＤの発光を制御する。
【００２１】
図３は実施例の携帯用ハードディスクオーディオ装置の制御装置６のメインルーチンを示すフローチャートである。図３により実施例１の制御装置６の動作を説明する。制御装置６は図示していないバッテリにより駆動されており、図示していない電源スイッチがオフとされると、常時、ステップＳ１を実行し、電源がオンとなったか否かを判断する。
【００２２】
ステップＳ１で電源がオンとなったと判断すると、ステップＳ２に移行して制御装置６に内蔵されているタイマのカウントを０として起動しステップＳ３に移行する。ステップＳ３では表示すべき静止画像等を液晶表示装置３に表示させステップＳ４に移行する。
【００２３】
ステップＳ４ではホールドスイッチ４からの信号によりホールド状態か否かを判断し、ホールド状態であれば、液晶表示装置３に静止画像等に重畳してホールド状態を示す文字または記号を表示させてステップＳ６に移行する。
【００２４】
ステップＳ５では操作キー群２から操作信号が入力されたか否かを判断し、操作信号が入力された場合は指示された動作を実行してステップＳ２に移行する。操作信号が入力されない場合はステップＳ６に移行する。
【００２５】
ステップＳ６ではタイマがタイムアップしたか否かを判断し、タイマがタイムアップした場合はステップＳ７に移行し、タイマがタイムアップしていない場合はステップＳ４を繰り返す。
【００２６】
ステップＳ７は液晶表示装置３を消灯し、液晶表示装置３を画面非表示としてステップＳ８に移行する。ステップＳ８では、ホールドスイッチ４からの信号によりホールド状態か否かを判断し、ホールド状態であれば、ステップＳ１０に移行し、ホールド状態でなければステップＳ９に移行する。
【００２７】
ステップＳ１０ではホールド状態を示すパターン２（０．５秒消灯、０．５秒点灯、０．５秒消灯、０．５秒点灯、４秒消灯）で赤色ＬＥＤ５を点滅させてステップＳ８に移行する。ステップＳ９では操作キー群２から操作信号が入力されたか否かを判断し、操作信号が入力された場合は指示された動作を実行してステップＳ２に移行する。操作信号が入力されない場合はステップＳ１１に移行する。
【００２８】
ステップＳ１１はホールド状態以外の他の状態を示すパターン１（０．５秒消灯、０．５秒点灯、４秒消灯）で赤色ＬＥＤ５を点滅させてステップＳ８に移行する。このように、操作信号が所定時間入力されない場合は液晶表示装置３を消灯してバッテリの消耗を防止し、しかも、ホールド状態等が電力消耗のすくないＬＥＤにより表示されるので、操作キーが動作しないときにホールド状態であることが直ちに気がつき、無駄なクレーム等の訴えがなくなる。
【００２９】
実施例１は以上のように構成されているが発明はこれに限られず、例えば、赤色ＬＥＤは操作キーホールド状態のみを表示するようにして、その近傍に操作キーホールドと記してもよい。このようにすることにより誤認識する恐れがさらに少なくなる。また、赤色ＬＥＤは点滅でなく、点灯によりホールド状態を表示するようにしてもよい。
【実施例２】
【００３０】
図４はこの発明の実施例２である携帯用ハードディスクオーディオ装置の動作を示すフローチャートである。なお、実施例２である携帯用ハードディスクオーディオ装置のハードウエアは実施例１のものと同様である。
【００３１】
図４により実施例２の制御装置６の動作を説明する。制御装置６は図示していないバッテリにより駆動されており、図示していない電源スイッチがオフとされると、常時、ステップＳ２０を実行し、電源がオンとなったか否かを判断する。
【００３２】
ステップＳ２０で電源がオンとなったと判断すると、ステップＳ２１に移行してバックライト３ａを点灯し液晶表示装置３の画面を表示してステップＳ２２に移行する。ステップＳ２２では減光、消灯の省電力モードが選択されているか否かを判断し選択されている場合はステップＳ２３に移行し、選択されていない場合はステップＳ２２を繰り返す。なお、省電力モードはキー操作により設定・設定解除可能とし、省電力モードでない場合はステップＳ２２の動作中に操作キーやホールド制御の入力を受け付けるものとする。
【００３３】
ステップＳ２３では制御御装置６に内蔵されている減光タイマおよび消灯タイマをリセットし、ステップＳ２４に移行する。ステップＳ２４では減光タイマおよび消灯タイマを起動しステップＳ２５に移行する。
【００３４】
ステップＳ２５ではホールドスイッチ４からの信号によりホールド状態か否かを判断し、ホールド状態であれば、液晶表示装置３に静止画像等に重畳してホールド状態を示す文字または記号を表示させてステップＳ２７に移行し、ホールド状態でなければステップＳ２６に移行する。
【００３５】
ステップＳ２６では操作キー群２から操作信号が入力されたか否かを判断し、操作信号が入力された場合は指示された動作を実行してステップＳ２１に移行する。操作信号が入力されない場合はステップＳ２７に移行する。
【００３６】
ステップＳ２７では減光タイマがタイムアップしたか否かを判断し、タイマがタイムアップした場合はステップＳ２８に移行し、タイマがタイムアップしていない場合はステップＳ２５とステップ２７の間のルーチンを繰り返す。
【００３７】
ステップＳ２８ではバックライト３ａを減光してステップＳ２９に移行する。ステップＳ２９ではホールドスイッチ４からの信号によりホールド状態か否かを判断し、ホールド状態であれば、液晶表示装置３に静止画像等に重畳してホールド状態を示す文字または記号を表示させてステップＳ３１に移行し、ホールド状態でなければステップＳ３０に移行する。
【００３８】
ステップＳ３０では操作キー群２から操作信号が入力されたか否かを判断し、操作信号が入力された場合は指示された動作を実行してステップＳ２１に移行する。操作信号が入力されない場合はステップＳ３１に移行する。
【００３９】
ステップＳ３１では消灯タイマがタイムアップしたか否かを判断し、タイマがタイムアップした場合はステップＳ３２に移行し、タイマがタイムアップしていない場合はステップＳ２９を繰り返す。
【００４０】
ステップＳ３２ではバックライト３ａを消灯し、液晶表示装置３を画面非表示としてステップＳ３３に移行する。ステップＳ３３ではホールドスイッチ４からの信号によりホールド状態か否かを判断し、ホールド状態であればステップＳ３６でホールド状態を示すパターン２（０．５秒消灯、０．５秒点灯、０．５秒消灯、０．５秒点灯、４秒消灯）で赤色ＬＥＤ５を点滅させてステップＳ３３に移行し、ホールド状態でなければステップＳ３４に移行する。
【００４１】
ステップＳ３４ではホールド状態以外の他の状態を示すパターン１（０．５秒消灯、０．５秒点灯、４秒消灯）で赤色ＬＥＤ５を点滅させてステップＳ３５に移行する。ステップＳ３５では操作キー群２から操作信号が入力されたか否かを判断し、操作信号が入力された場合は指示された動作を実行してステップＳ２１に移行する。操作信号が入力されない場合はステップＳ３３に移行する。
【００４２】
このように、バックライトを減光・消灯する省電力モードを採用する電子機器にこの発明を適用することができる。なお、バックライトを消灯すると同時に画面非表示とする代わりにバックライトを消灯した後所定期間操作キー群を操作しないと画面非表示とし、ＬＥＤを点滅させてもよい。
【００４３】
さらに、操作キーホールド手段としてホールドスイッチの代わりに押釦を用いてもよく、他の操作をする操作キーを長押して操作キーホールド状態とするようにしてもよい。
【００４４】
上述で説明した実施の形態を整理すると、以下のようになる。
【００４５】
第１の実施の形態
（１）電源オンから所定時間経過後、バックライトと液晶画面を同時に消灯、非表示にし、このバックライトと液晶画面の消灯、非表示時にＬＥＤの点滅（若しくは点灯）を開始する。
【００４６】
第２の実施の形態
（２）電源オンから第１の所定時間経過後、バックライトを減光する。このとき液晶表示画面は表示状態である。更に第２の所定時間経過後、バックライトを消灯し、液晶表示画面も非表示にする。このバックライト消灯、液晶表示画面非表示時にＬＥＤの点滅（若しくは点灯）を開始する。
【００４７】
しかし、本発明は上記記載に限定されない。以下の状態によっても、本発明の効果を奏し得る。
【００４８】
（３）電源オンから第１の所定時間経過後、バックライトを消灯する。このとき液晶表示画面は表示状態である。更に第２の所定時間経過後、液晶表示画面も非表示にする。この液晶表示画面非表示時にＬＥＤの点滅（若しくは点灯）を開始する。
【００４９】
（４）電源オンから第１の所定時間経過後、バックライトを消灯する。このとき液晶表示画面は表示状態である。更に第２の所定時間経過後、液晶表示画面を非表示にする。液晶表示状態であるが、バックライトの消灯時にＬＥＤの点滅（若しくは点灯）を開始する。（５）電源オンから第１の所定時間経過後、バックライトを減光する。このとき液晶表示画面は表示状態である。更に第２の所定時間経過後、バックライトを消灯する。このとき液晶表示画面は表示状態である。更に第３の所定時間経過後、液晶表示画面も非表示にする。この液晶表示画面非表示時にＬＥＤの点滅（若しくは点灯）を開始する。
【００５０】
（６）電源オンから第１の所定時間経過後、バックライトを減光する。このとき液晶表示画面は表示状態である。更に第２の所定時間経過後、バックライトを消灯する。このとき液晶表示画面は表示状態である。更に第３の所定時間経過後、液晶表示画面も非表示にするが、バックライトを消灯時にＬＥＤの点滅（若しくは点灯）を開始する。
【００５１】
なお、ホールド状態でなければ、操作キーの入力によりバックライトを点灯し、液晶表示画面を表示状態にするのは、上述の通り、いずれの実施の形態においても同様である。
【図面の簡単な説明】
【００５２】
【図１】この発明の実施例１である携帯用ハードディスクオーディオ装置を示す外観図である。
【図２】同携帯用ハードディスクオーディオ装置の構成を示すブロック図である。
【図３】同携帯用ハードディスクオーディオ装置の動作を示すフローチャートである。
【図４】この発明の実施例２である携帯用ハードディスクオーディオ装置の動作を示すフローチャートである。
【符号の説明】
【００５３】
１  携帯用ハードディスクオーディオ装置
２  操作キー群、２ａ  プレイキー
３  液晶表示装置、３ａ  バックライト
４  ホールドスイッチ
５  赤色ＬＥＤ
６  制御装置
７  ハードディスクドライブ
８  Ｄ／Ａコンバータ
９  ＲＡＭ
【図１】
2006337785.tif 000003
【図２】
2006337785.tif 000004
【図３】
2006337785.tif 000005
【図４】
2006337785.tif 000006